(57)【要約】【課題】  照射領域が発光源の近傍に限定されたり、発光源を多数使用したり、角度調整なしでは、標識図柄全体を均一の明るさ、即ち標識図柄から発する光束発散均整度を高め標識図柄全体を筐体形状の大きさによっては均一の明るさに照らすことができないという問題点を全て解決することを目的とする。【解決手段】  所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設けたことを特徴とする対面反射拡散型高出力ＬＥＤ内照式道路標識を提供する。【選択図】  図１１
2006307611.tif 000002
【特許請求の範囲】
【請求項１】
所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設けたことを特徴とする対面反射拡散型高出力ＬＥＤ内照式道路標識。
【請求項２】
所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設け、さらに前記高出力ＬＥＤの取付金具の取付角度を任意に調整可能としたことを特徴とする対面反射拡散型高出力ＬＥＤ内照式道路標識。
【発明の詳細な説明】
【技術分野】
【０００１】  本発明は、対面反射拡散型高出力ＬＥＤ内照式道路標識に関するものであって詳しくは、筐体フレーム内側に多数配設した高出力ＬＥＤの照射方向を小容量ＬＥＤでは多数使用したり、必要な角度調整なしでは良好な均整度が得られないために、遠方（距離）に対面介在させた反射拡散体にて拡散せしめ、標識図柄から発する光束発散均整度を極めて高めること、および多種に亘る道路標識の筐体形状に対応せしめるため、高出力ＬＥＤ取付金具の取付角度を任意に調整可能とした対面反射拡散型高出力ＬＥＤ内照式道路標識に関するものである。
【背景技術】
【０００２】  従来、極く一般的に使用されている内照式道路標識としては、図１２に示すように、所要形状の筐体１０に対して着脱もしくは開閉自在で、しかも所要の標識図柄１１を施した半透光性の表示板１２と、前記筐体１０内に発光源として蛍光灯１３を備えたものが公知である。【０００３】  また、表裏両面内照式道路標識において、図１３〜１４に示すように標準値で小容量０．０２５Ｗ型のＬＥＤ１４を筐体１０の内面１０ａに沿って直線状多数配置し、前記ＬＥＤ１４の発光により表裏両面表示板１２の標識図柄１１を照らすようにしたもの、または、図１７〜１８に示すように筐体１０の内面１０ａに沿って直線状に配設した小容量のＬＥＤ１４の直上に光束の拡散を行う周知の導光板１５を接近配置して小容量のＬＥＤ１４が発する光を均等に導光板１５の両面に分散して表裏両面表示板１２の標識図柄１１を照らすようにしたものなどが公知である。
【発明の開示】
【発明が解決しようとする課題】
【０００４】  ところが、上記従来技術において、図１２に示すものは、発光源が蛍光灯１３であるため、消費電力量が多く、甚だ不経済であり、しかも放熱量が大で多量の炭酸ガスを発生して環境衛生を破壊し、かつ温暖化の一因ともなるなどの問題点を有するばかりでなく、故障も多く、補修が面倒であるなど種々の問題点があった。【０００５】  また、上記従来技術に対し、図１３〜１４および図１７〜１８に示すものは、発光源を蛍光灯１３に代えＬＥＤ１４としたことにより、上記図１２に示すものの問題点を解決することはできたが、上記図１３〜１４および図１７〜１８に示すものは、いずれも上記発光源が小容量のＬＥＤ１４からなるものであるため、図１５〜１６に示すように照射領域が発光源の近傍に限定されたり、発光源を多数使用したり、角度調整なしでは、標識図柄全体を均一の明るさ、即ち標識図柄１１から発する光束発散均整度を高め標識図柄全体を筐体形状の大きさによっては均一の明るさに照らすことができないという問題点があったとともに、必要に応じ前記各ＬＥＤ１４から照射される光束方向を所要の方向に調整する場合は、各ＬＥＤ１４の電極であるリード線１６をいちいち曲げて１個、１個調整しなければならず調整が面倒であるという問題点があった。【０００６】  さらにまた、上記従来技術において、図１７〜１８に示すものは、各種形状の筐体１１に対して導光板１５の光束発散設計をその都度行わなければならず、製作が面倒で高価となるなどの問題点があった。
【課題を解決するための手段】
【０００７】  本発明の対面反射拡散型高出力ＬＥＤ内照式道路標識は、上記課題を解決することを目的とし、所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設けたことを特徴とする。【０００８】  また、本発明の対面反射拡散型高出力ＬＥＤ内照式道路標識は、所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設け、さらに前記高出力ＬＥＤの取付金具の取付角度を任意に調整可能としたことを特徴とする。【０００９】  本発明の請求項１記載に係る対面反射拡散型高出力ＬＥＤ内照式道路標識は、所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設けたものであるから、従来の蛍光灯を発光源に使用したものの問題点をことごとく解決し得たものであることは勿論のこと、従来の小容量ＬＥＤを用いたものに比して照射領域が格段に広く、即ち、従来の小容量ＬＥＤでは、照射不可能なる遠方（距離）にまで照射することが可能であるので、本発明においては各高出力ＬＥＤが対面する側に位置する筐体内面に反射拡散体を設けることにより、前記各高出力ＬＥＤの照射光束を広く拡散せしめ、標識図柄から発す光束の発散均整度を極めて高めることができ、その結果、特に筐体形状の大きな道路標識における標識図柄を明確に視認することが可能となる効果がある。【００１０】  また、本発明の請求項２記載に係る対面反射拡散型高出力ＬＥＤ内照式道路標識は、所要形状からなる筐体の表裏両面に着脱自在に設けた表示板の標識図柄を、筐体内に配した内部照明により照らすようにした内照式道路標識において、高出力ＬＥＤを筐体内面に沿い所要間隔をもって全周に亘り配設するとともに、前記各高出力ＬＥＤが対面する側の筐体内面に反射拡散体を設け、さらに前記高出力ＬＥＤの取付金具の取付角度を任意に調整可能としたものであるから、道路標識の筐体形状に対応して各高出力ＬＥＤの取付角度を調整することにより、前記高出力ＬＥＤが発する照射光束を対面する側に位置する筐体内面の反射拡散体に正確に照射し、かつ、これを広く拡散せしめ、標識図柄から発する光束発散均整度を筐体形状に限定されることなく高めることができる効果がある。
【発明を実施するための最良の形態】
【００１１】  本発明は、ＬＥＤ内照式道路標識において、特に、筐体形状の大きな道路標識における標識図柄を明確に視認することが可能となる構造簡単にして、故障の少ない対面反射拡散型高出力ＬＥＤ内照式道路標識を提供する。
【実施例】
【００１２】  以下、図面を参照して本発明に係る対面反射拡散型高出力ＬＥＤ内照式道路標識の実施の形態を詳細に説明する。
図１乃至図１１は、本発明の請求項１乃至２に記載された発明の一実施例を説明するためのものであって、図１〜２は、筐体形状の異る、対面反射拡散型高出力ＬＥＤ内照式道路標識において、標識図柄部分を一部切欠した斜視図である。【００１３】  図３は、平板状筐体内面に沿って高出力ＬＥＤを直線に配置した場合の一例をに示す一部切欠斜視図、図４は、同曲面状筐体内面に沿って高出力ＬＥＤを配置した場合の一例をに示す一部切欠斜視図である。【００１４】  図５は、高出力ＬＥＤの取付状態および発光方向の一例を示す断面図、図６は、同高出力ＬＥＤを取付角度調整自在の取付金具により筐体内面に取付けた場合の一例を示す断面図、図７は、同上面図、図８は、同取付状態の一例を示す一部切欠斜視図である。【００１５】  図９〜１０は、筐体形状の異る場合における高出力ＬＥＤの発光方向および反射拡散領域の各一例を示す平面図である。図１１は、筐体内面に高出力ＬＥＤを取付た本発明の一例を示す一部切欠斜視図である。【００１６】  図１２は、従来の蛍光灯を用いた内照式道路標識の一例を示す一部切欠斜視図である。図１３〜１４は、小容量のＬＥＤを用いた従来の内照式道路標識の各例を示す一部切欠斜視図、図１５〜１６は、同従来の内照式道路標識における小容量ＬＥＤの発光方向および領域の各一例を示す平面図、図１７〜１８は、従来の小容量ＬＥＤと導光板を併用した内照式道路標識の各一例を示す一部切欠斜視図である。【００１７】  図１乃至図１１において、１は、本発明に係る対面反射拡散型高出力ＬＥＤ内照式道路標識Ａにおける、所要形状からなる筐体を示すものであって、図１〜２示のように円形状また五角形状など種々の形状のものからなる。２は、前記筐体１の表裏面に着脱自在に設けられた、ガラスまたはプラスチック製の板材で形成された半透光性の表示板であって、前記表示板２には、所要の標識図柄３が施されている。４は、前記筐体１の内面に沿い所要間隔をもって前周に亘り配設された、例えば、ルミリズライテイング（ＬｕｍｉｌｅｄｓＬｉｇｈｔｉｎｇ）社製ＬｕｘｅｏｎＰｏｗｅｒＬｉｇｈｔＳｏｕｒｃｅｋのような周知の高出力ＬＥＤであって、図３〜４に示すように、前記筐体１の内側フレーム１ａに、例えば株式会社ツジデン製の周知の反射拡散シート５を敷設して配設されている。なお、前記筐体１の内側フレーム１ａおよび外側フレーム１ｂはアルミ製のような放熱性のよい軽量部材で設けられていており、また、前記高出力ＬＥＤ４のリード線は前記筐体１の内、外フレーム１ａ、フレーム１ｂ間の空間１ｃを通り、図示しない筐体１外の電極に連絡されている。【００１８】  図５は、前記筐体１の内面に配置された高出力ＬＥＤ４の取付状態および発光方向の一例を示す断面図であって、４ａは、発光素子、４ｂは、配線基板、４ｃは、放熱基板、４ｄは、光束集束プリズム、４ｅは、取付ネジ、矢印４ｆは、光束方向を示すものである。【００１９】  図６〜７は、前記高出力ＬＥＤ４を取付角度調整自在の取付金具４ｇによって、前記筐体１の内面に配設した場合の一例を示す断面図および上面図であって、前記高出力ＬＥＤ４を取付けた取付金具４ｇは断面コの字状に形成され、そのコの字状の脚部４ｈを回転ネジ４���よって任意の角度に回転自在に筐体１の内側フレーム１ａに設けられた断面コの字型チャンネル４ｊに取付られている。なお、図８は、高出力ＬＥＤ４を取付角度調整自在の取付金具４ｇによって曲面状筐体１の内面に取付けた状態の一例を示したものである。【００２０】  図１１は、本発明の一例を示す一部切欠斜視図であって、１は筐体、２は表示体、３は標識図柄、４は高出力ＬＥＤ、５は反射拡散シート、６は支柱（梁）をに示すものである。【００２１】  本発明の対面反射拡散型高出力ＬＥＤ内照式道路標識は、従来の蛍光灯使用のものの問題点をことこどく解決し得たものであることは勿論のこと、特に本発明においては内照発光源を高出力ＬＥＤとし、これを筐体の内面に沿い、所要間隔をもって全周に亘り配設するとともに、前記各高出力ＬＥＤが対面する側の筐体内面に反射拡散体を設け、それに加え前記各高出力ＬＥＤの取付角度を筐体形状に対応して任意に調整可能としたことにより、前記各高出力ＬＥＤが発する照射光束を遠方にまで、照射することが可能となり、しかも前記照射光束を対面する側に位置する筐体内面の反射拡散体に正確に照射せしめ、かつこれを広く拡散せしめ得るので、標識図柄から発する光束発散均整度を極めて高めることができ、その結果大型の道路標識であっても図柄全体を均一の明るさに照らすことができるものである。
【産業上の利用可能性】
【００２２】  なお、本実施例では、対面反射拡散型高出力ＬＥＤ内照式道路標識について説明したが、これに限らず各種変形を含む内照式看板などに適用できること勿論である。
【図面の簡単な説明】
【００２３】
【図１】  本発明に係る対面反射拡散型高出力ＬＥＤ内照式道路標識において、標識図柄部分を一部切欠した斜視図である。
【図２】  本発明に係る対面反射拡散型高出力ＬＥＤ内照式道路標識において、標識図柄部分を一部切欠した斜視図である。
【図３】  本発明に係る平板状筐体内面に沿って高出力ＬＥＤを直線状に配置した場合の一例を示す一部切欠斜視図である。
【図４】  本発明の同曲面状筐体内面に沿って高出力ＬＥＤを配置した場合の一例を示す一部切欠斜視図である。
【図５】  本発明の高出力ＬＥＤの取付状態および発光方向の一例を示す断面図である。
【図６】  本発明に係る同高出力ＬＥＤを取付角度調整自在の取付金具により筐体内面に取付けた場合の一例を示す断面図である。
【図７】  本発明の図６の上面図である。
【図８】  本発明の高出力ＬＥＤを取付角度調整自在の取付金具によって曲面状筐体の内面に取付けた状態の一例を示したものである。
【図９】  本発明の筐体形状を円形状とした場合における高出力ＬＥＤの発光方向および反射拡散領域の一例をに示す平面図である。
【図１０】  本発明の筐体形状を五角形状とした場合における高出力ＬＥＤの発光方向および反射拡散領域の一例を示す平面図である。
【図１１】  本発明の筐体内面に高出力ＬＥＤを取付た一例を示す一部切欠斜視図である。
【図１２】  従来の蛍光灯を用いた内照式道路標識一例を示す一部切欠斜視図である。
【図１３】  小容量のＬＥＤを直線状に配した従来の内照式道路標識の一例を示す一部切欠斜視図である。
【図１４】  小容量のＬＥＤを曲面状に配した従来の内照式道路標識の一例を示す一部切欠斜視図である。
【図１５】  従来の円形状内照式道路標識における小容量ＬＥＤの発光方向および領域の一例を示す平面図である。
【図１６】  従来の五角形状内照式道路標識における小容量ＬＥＤの発光方向および領域の一例を示す平面図である。
【図１７】  従来の小容量ＬＥＤと導光板を併用した直線状内照式道路標識の一例を示す一部切欠斜視図である。
【図１８】  従来の小容量ＬＥＤと導光板を併用した直線状内照式道路標識の一例を示す一部切欠斜視図である。
【符号の説明】
Ａ    対面反射拡散型高出力ＬＥＤ内照式道路標識
１    筐体
１ａ  内側フレーム
１ｂ  外側フレーム
１ｃ  外側フレームと内側フレーム間の空間
２    ガラスまたプラスチック製の半透光性板材
３    標識図柄
４    配設された高出力ＬＥＤ
４ａ  発光素子
４ｂ  配線基板
４ｃ  放熱基板
４ｄ  光束集束プリズム
４ｅ  取付ネジ
４ｆ  光束方向
４ｇ  コの字型チャンネル体
４ｈ  コの字状の脚部
４ｉ  回転ネジ
５    反射拡散シート
６    支柱（梁）
【図１】
2006307611.tif 000003
【図２】
2006307611.tif 000004
【図３】
2006307611.tif 000005
【図４】
2006307611.tif 000006
【図５】
2006307611.tif 000007
【図６】
2006307611.tif 000008
【図７】
2006307611.tif 000009
【図８】
2006307611.tif 000010
【図９】
2006307611.tif 000011
【図１０】
2006307611.tif 000012
【図１１】
2006307611.tif 000013
【図１２】
2006307611.tif 000014
【図１３】
2006307611.tif 000015
【図１４】
2006307611.tif 000016
【図１５】
2006307611.tif 000017
【図１６】
2006307611.tif 000018
【図１７】
2006307611.tif 000019
【図１８】
2006307611.tif 000020